(57)【要約】【課題】  利用者が任意に設定したチャネルを効率よく切り換えられる放送受信装置を実現する。【解決手段】  放送受信装置の制御部が実現する選局処理は、テレビの電源ＯＮを検知するステップ（Ｓ５０２）と、前回電源ＯＦＦ時のチャネルに基づいて選局するステップ（Ｓ５０４）と、クイック選局の信号の入力を検知するステップ（Ｓ５０６）と、メモリから、最初のデータ領域のチャネルの識別情報を読み出すステップ（Ｓ５１０）と、クイック選局の入力をさらに検知した場合には（Ｓ５１２にてＹＥＳ）、次のデータ領域のチャネルの識別情報を読み出すステップ（Ｓ５１４）とを含む。【選択図】        図５
2005159742.tif 000002
【特許請求の範囲】
【請求項１】
映像音声信号を受信するための受信手段と、
利用者が、指示を入力するための第１の指示入力手段と、
前記第１の指示入力手段を介して、予め定められた基準に基づいて複数のチャネルを選択する指示が入力されたことに応答して、前記複数のチャネルを選択するための選択手段と、
前記複数のチャネルの各々を識別する情報と、前記指示に基づいて前記複数のチャネルから選択された複数の設定チャネルの各々を識別する識別情報とを記憶するための記憶手段と、
前記利用者が、前記複数の設定チャネルの中からチャネルを選択する選局指示を入力するための第２の指示入力手段と、
前記選局指示の入力に基づいて、前記複数の設定チャネルの各々の識別情報の中から最初に記憶された識別情報を読み出すための読出手段と、
読み出された前記識別情報により識別される前記設定チャネルに基づいて、前記映像音声信号を取得するための取得手段とを含む、放送受信装置。
【請求項２】
映像音声信号を受信するための受信手段と、
利用者が、指示を入力するための第１の指示入力手段と、
予め定められた基準に基づいて複数のチャネルを選択する指示が、前記第１の指示入力手段を介して入力されたことに応答して、前記複数のチャネルを選択するための選択手段と、
前記複数のチャネルの中から前記利用者により選択された設定チャネルを設定する指示が、前記第１の指示入力手段を介して入力されたことに応答して、前記複数の設定チャネルを選択するための設定手段と、
前記複数のチャネルの各々を識別する情報と、前記複数の設定チャネルの各々を識別する識別情報とを記憶するための記憶手段と、
前記利用者が、前記複数の設定チャネルの中からチャネルを選択する選局指示を入力するための第２の指示入力手段と、
前記選局指示の入力に基づいて、前記設定チャネルに対応する前記映像音声信号を取得するための取得手段とを含む、放送受信装置。
【請求項３】
前記第２の指示入力手段は、
前記利用者による押下を検出するための押下検出手段と、
前記押下の回数に応答して、前記選局指示を前記取得手段に出力するための選局指示出力手段とを含む、請求項２に記載の放送受信装置。
【請求項４】
前記設定手段は、前記第１の指示入力手段を介して入力された情報に基づいて、前記識別情報を検出し、検出した前記識別情報を前記記憶手段に記憶させる、請求項２または３に記載の放送受信装置。
【請求項５】
前記放送受信装置はさらに、前記利用者による選局の履歴を取得するための履歴取得手段を含み、
前記設定手段は、前記選局の履歴に基づいて、前記複数のチャネルから前記複数の設定チャネルを選択するためのチャネル設定手段を含む、請求項２または３に記載の放送受信装置。
【請求項６】
前記選局の履歴は、選局された回数を含み、
前記チャネル設定手段は、前記選局された回数に基づいて前記複数のチャネルから前記複数の設定チャネルを選択するための選局手段を含む、請求項５に記載の放送受信装置。
【請求項７】
前記選局手段は、
前記選局された回数に基づいて、前記複数のチャネルの各々を並べ替えるためのソート手段と、
並べ替えられた前記複数のチャネルから、予め定められた数のチャネルを前記設定チャネルとして選択するための手段とを含む、請求項６に記載の放送受信装置。
【請求項８】
前記選局の履歴は、各前記複数のチャネルの各々が最後に選局された日付を含み、
前記チャネル設定手段は、前記最後に選局された日付に基づいて、前記複数のチャネルから前記複数の設定チャネルを選択するための選局手段を含む、請求項５に記載の放送受信装置。
【請求項９】
前記選局手段は、
前記最後に選局された日付に基づいて、前記複数のチャネルの各々を並べ替えるためのソート手段と、
並べ替えられた前記複数のチャネルから、予め定められた数のチャネルを前記設定チャネルとして選択するための手段とを含む、請求項８に記載の放送受信装置。
【請求項１０】
前記取得手段は、
前記選局指示が入力されると、前記記憶手段に最初に格納された設定チャネルを識別する情報を読み出すための手段と、
読み出された前記設定チャネルを識別する情報に基づいて、前記映像音声信号を取得するための手段とを含む、請求項２〜９のいずれかに記載の放送受信装置。
【請求項１１】
前記放送受信装置はさらに、
前記第２の指示入力手段が押下されている時間を計測するための計測手段と、
前記第２の指示入力手段が予め定められた時間押下されている場合に、前記選局指示を予め定められた間隔で、前記取得手段に出力するための出力手段とを含む、請求項２〜１０のいずれかに記載の放送受信装置。
【請求項１２】
利用者が、複数のチャネルから、映像音声信号を受信する放送受信装置におけるチャネルを選択する指示を入力するための第１の指示入力手段と、
前記複数のチャネルの中から前記利用者により選択された複数の設定チャネルを識別する各識別情報を記憶領域に格納するための記憶手段と、
前記利用者が、前記複数の設定チャネルの中から前記映像音声信号を受信するチャネルを選択する選局指示を入力するための第２の指示入力手段と、
前記選局指示の入力に基づいて、各前記識別情報の中から、前記記憶領域に最初に格納された識別情報を読み出すための読出手段と、
読み出された前記識別情報により識別される設定チャネルに対応する信号を、前記放送受信装置に送信するための送信手段とを含む、リモートコントロール装置。
【請求項１３】
前記第２の指示入力手段は、
前記利用者による押下を検出するための押下検出手段と、
前記押下の回数に応答して、前記選局指示を前記読出手段に出力するための選局指示出力手段とを含む、請求項１２に記載のリモートコントロール装置。
【請求項１４】
前記リモートコントロール装置はさらに、
前記第２の指示入力手段が押下されている時間を計測するための計測手段と、
前記第２の指示入力手段が予め定められた時間押下されている場合に、前記選局指示を予め定められた間隔で前記読出手段に出力するための出力手段とを含む、請求項１２または請求項１３に記載のリモートコントロール装置。
【発明の詳細な説明】
【技術分野】
【０００１】
本発明は、放送信号から映像音声信号を選局する技術に関し、特に、利用者が設定したチャネルの範囲内で簡易に選局することができる放送受信装置、および利用者が設定したチャネルの範囲内で簡易に選局する指示を放送受信装置に送信することができるリモートコントロール装置に関する。
【背景技術】
【０００２】
テレビジョン受像機その他の放送受信装置は、チューナの選択に応じて受信する放送を選択することができる。この選択は、たとえば、利用者がテレビジョン受像機のチャネルを切り換えることにより、あるいは、テレビジョン受像機のリモコン端末装置においてチャネルボタンを押下することにより行なわれる。このような方送受信装置において、衛星放送あるいはデジタル放送その他の多チャネル放送を受信することができる放送受信装置の場合、選択の対象となるチャネルの数が飛躍的に増加するため、利用者がチャネルの選択に手間取る場合があった。
【０００３】
そこで、このような問題を解決するために、たとえば特開平１０−１６４４４７号公報（特許文献１）は、多チャネル放送におけるチャネルの登録操作を容易にするとともに、チャネルの選択操作を容易にすることができる放送受信装置を開示する。この方送受信装置は、多チャネル放送を受信するための手段と、多チャネル放送から所定のチャネルを選択するための選択手段と、多チャネル放送の中から視聴者が登録したチャネルを記憶するための記憶手段と、選択すべきチャネルの選択指示および記憶すべきチャネルの登録指示を入力するための手段と、選択指示に応じたチャネルを選択するように選択手段を制御するための制御手段と、選択された所定のチャネルの放送内容を表示画面に表示するための表示手段とを備える。制御手段は、登録されていないチャネルが一定時間以上継続して選択された場合、選択中のチャネルを記憶手段に登録する手順を表示するように表示手段を制御する。
【０００４】
特許文献１に開示された放送受信装置によると、チャネル登録手順が自動的に表示されるため、視聴者が複雑な登録操作を習得したり、視聴中のチャネル番号を意識することなく、チャネルおよび番組の内容を基にチャネルを登録することができる。したがって、多チャネル放送におけるチャネルの登録操作が容易になる。
【特許文献１】特開平１０−１６４４４７号公報
【発明の開示】
【発明が解決しようとする課題】
【０００５】
しかしながら、特許文献１に開示された放送受信装置によると、未登録のチャネルが一定時間以上継続して選択された場合にそのチャネルを登録する手順が表示されるため、それ以外のチャネルを登録することができないという問題があった。
【０００６】
また、上記の放送受信装置によると、利用者が一定時間以上選択したチャネルは、全て登録の対象となる一方、利用者の意志に基づいてチャネルの設定を容易に行なうことができないという問題があった。
【０００７】
本発明は、上述の問題点を解決するためになされたものであって、その目的は、利用者の意志に応じて、チャネルの選択を容易に行なうことができる放送受信装置を提供することである。
【０００８】
本発明の他の目的は、利用者による選局の効率を向上させることができる放送受信装置を提供することである。
【０００９】
本発明のさらに他の目的は、利用者の意志に応じてチャネルの設定を容易に行なうことができ、また選局の効率を向上させることができるリモートコントロール装置を提供することである。
【課題を解決するための手段】
【００１０】
上記の課題を解決するために、この発明のある局面に従うと、放送受信装置は、映像音声信号を受信するための受信手段と、利用者が、指示を入力するための第１の指示入力手段と、第１の指示入力手段を介して、予め定められた基準に基づいて複数のチャネルを選択する指示が入力されたことに応答して、複数のチャネルを選択するための選択手段と、複数のチャネルの各々を識別する情報と、指示に基づいて複数のチャネルから選択された複数の設定チャネルの各々を識別する識別情報とを記憶するための記憶手段と、利用者が、複数の設定チャネルの中からチャネルを選択する選局指示を入力するための第２の指示入力手段と、選局指示の入力に基づいて、複数の設定チャネルの各々の識別情報の中から最初に記憶された識別情報を読み出すための読出手段と、読み出された識別情報により識別される設定チャネルに基づいて、映像音声信号を取得するための取得手段とを含む。
【００１１】
上記の構成を有する放送受信装置によると、利用者は、第１の指示入力手段を介して、予め定められた基準に基づいて複数のチャネルを選択する指示を入力すると、その複数のチャネルが選択される。ここで、放送受信装置は、たとえばテレビジョン受像機、ＶＴＲ（Video Tape Recorder）、あるいはこれらの装置が有する映像受信チューナ等を含む。利用者は、またそのチャネルの中から、複数の設定チャネルを選択することができる。これらのチャネルを識別する情報は、記憶手段に記憶される。利用者が、第２の指示入力手段を介して、複数の設定チャネルの中からチャネルを選択する選局指示を入力すると、複数の設定チャネルの各々を識別する識別情報の中から、最初に記憶された識別情報が読み出され、その情報により識別される設定チャネルが選局される。このようにすると、利用者は、放送受信装置が受信可能なチャネルの中から任意に選択して設定した複数の設定チャネルのみを、第２の指示入力手段を介して、選局することができる。これにより、利用者の意志に応じて、チャネルの選択を容易に行なうことができる放送受信装置を提供することができる。
【００１２】
この発明の他の局面に従うと、放送受信装置は、映像音声信号を受信するための受信手段と、利用者が、指示を入力するための第１の指示入力手段と、予め定められた基準に基づいて複数のチャネルを選択する指示が、第１の指示入力手段を介して入力されたことに応答して、複数のチャネルを選択するための選択手段と、複数のチャネルの中から利用者により選択された設定チャネルを設定する指示が、第１の指示入力手段を介して入力されたことに応答して、複数の設定チャネルを選択するための設定手段と、複数のチャネルの各々を識別する情報と、複数の設定チャネルの各々を識別する識別情報とを記憶するための記憶手段と、利用者が、複数の設定チャネルの中からチャネルを選択する選局指示を入力するための第２の指示入力手段と、選局指示の入力に基づいて、設定チャネルに対応する映像音声信号を取得するための取得手段とを含む。
【００１３】
上記の構成を有する放送受信装置によると、利用者が、第１の指示入力手段を介して、予め定められた基準に基づいて複数のチャネルを選択する指示を入力すると、選択手段がその各チャネルを選択して記憶手段に記憶させる。また、利用者が、複数のチャネルの中から選択した設定チャネルを設定する指示を入力すると、設定手段が各設定チャネルを選択して記憶手段に記憶させる。利用者が、第２の指示入力手段を介して複数の設定チャネルの中からチャネルを選択する選局指示を入力すると、取得手段は、設定チャネルに対応する映像音声信号を取得する。このようにすると、このようにすると、利用者が選局を希望しないチャネルは、選択されなくなる。これにより、利用者による選局の効率を向上させることができる放送受信装置を提供することができる。
【００１４】
好ましくは、第２の指示入力手段は、利用者による押下を検出するための押下検出手段と、押下の回数に応答して、選局指示を取得手段に出力するための選局指示出力手段とを含む。
【００１５】
上記の構成を有する放送受信装置によると、利用者は、第２の指示入力手段を押下するだけで、自らが設定したチャネルの範囲内で、効率よく選局することができる。
【００１６】
好ましくは、設定手段は、第１の指示入力手段を介して入力された情報に基づいて、識別情報を検出し、検出した識別情報を記憶手段に記憶させる。
【００１７】
上記の構成を有する放送受信装置によると、利用者が第１の指示入力手段を介して情報（たとえばチャネルの番号等）を入力すると、設定チャネルの識別情報が検出され、記憶手段に記憶される。したがって、利用者は、その情報を再度入力することなく、自らが設定したチャネルの範囲内で、効率よく選局することができる。
【００１８】
好ましくは、放送受信装置はさらに、利用者による選局の履歴を取得するための履歴取得手段を含む。設定手段は、選局の履歴に基づいて、複数のチャネルから複数の設定チャネルを選択するためのチャネル設定手段を含む。
【００１９】
上記の構成を有する放送受信装置によると、チャネル選択手段は、履歴取得手段により取得された選局の履歴（たとえば、チャネルの選択の頻度順、最後に選局された日時、あるいは選局されている時間等）に基づいて、複数のチャネルから複数の設定チャネルを選択する。その結果、利用者の選局実績が設定チャネルの選択に反映される。このようにすると、利用者は、第２の指示入力手段を介して設定チャネルの中から選局することができるため、選局しないチャネルが選択されなくなり、選局効率が向上する。
【００２０】
好ましくは、選局の履歴は、選局された回数を含む。チャネル設定手段は、選局された回数に基づいて複数のチャネルから複数の設定チャネルを選択するための選局手段を含む。
【００２１】
上記の構成を有する放送受信装置によると、各設定チャネルは、利用者がチャネルを選択した回数に基づいて（たとえば、回数の多い順に）選択される。このようにすると、利用者が設定操作を行なうことなく、設定チャネルが選択されるため、利用者による放送の受信の特徴が反映され易くなる。
【００２２】
好ましくは、選局手段は、選局された回数に基づいて、複数のチャネルの各々を並べ替えるためのソート手段と、並べ替えられた複数のチャネルから、予め定められた数のチャネルを設定チャネルとして選択するための手段とを含む。
【００２３】
上記の構成を有する放送受信装置によると、設定チャネルは、選局された回数順に選択されるため、利用者が設定を希望する設定チャネルの数を変更し易くなる。
【００２４】
好ましくは、選局の履歴は、各複数のチャネルの各々が最後に選局された日付を含む。チャネル設定手段は、最後に選局された日付に基づいて、複数のチャネルから複数の設定チャネルを選択するための選局手段を含む。
【００２５】
上記の構成を有する放送受信装置によると、設定チャネルは、各チャネルが最後に選局された日付に基づいて選択されるため、利用者の受信の傾向を反映した選局が行なわれ易くなる。
【００２６】
好ましくは、選局手段は、最後に選局された日付に基づいて、複数のチャネルの各々を並べ替えるためのソート手段と、並べ替えられた複数のチャネルから、予め定められた数のチャネルを設定チャネルとして選択するための手段とを含む。
【００２７】
上記の構成を有する放送受信装置によると、設定チャネルは、たとえば、最後に選局された日付順に（あるいは、その逆の順に）選択されるため、利用者が設定を希望する設定チャネルの数を変更し易くなる。
【００２８】
好ましくは、取得手段は、選局指示が入力されると、記憶手段に最初に格納された設定チャネルを識別する情報を読み出すための手段と、読み出された設定チャネルを識別する情報に基づいて、映像音声信号を取得するための手段とを含む。
【００２９】
上記の構成を有する放送受信装置によると、利用者が設定チャネルの選局指示を入力すると、記憶手段に最初に格納された設定チャネルを識別する情報が読み出され、その設定チャネルが選局される。このようにすると、利用者が優先的に選局を希望するチャネルが選局されやすくなるため、選局の効率を向上することができる。
【００３０】
好ましくは、放送受信装置はさらに、第２の指示入力手段が押下されている時間を計測するための計測手段と、第２の指示入力手段が予め定められた時間押下されている場合に、選局指示を予め定められた間隔で、取得手段に出力するための出力手段とを含む。
【００３１】
上記の構成を有する放送受信装置によると、利用者が第２の指示入力手段を押下し続けている場合、選局が自動的に行なわれるため、利用者は、押下を繰り返すことなく、設定チャネルの範囲内で選局することができる。
【００３２】
この発明のさらに他の局面に従うと、利用者が、複数のチャネルから、映像音声信号を受信する放送受信装置におけるチャネルを選択する指示を入力するための第１の指示入力手段と、複数のチャネルの中から利用者により選択された複数の設定チャネルを識別する各識別情報を記憶領域に格納するための記憶手段と、利用者が、複数の設定チャネルの中から映像音声信号を受信するチャネルを選択する選局指示を入力するための第２の指示入力手段と、選局指示の入力に基づいて、各識別情報の中から、記憶領域に最初に格納された識別情報を読み出すための読出手段と、読み出された識別情報により識別される設定チャネルに対応する信号を、放送受信装置に送信するための送信手段とを含む。
【００３３】
上記の構成を有するリモートコントロール装置によると、利用者は、第１の指示入力手段を介して、複数のチャネルから、映像音声信号を受信する放送受信装置におけるチャネルを選択する指示を入力することができる。この複数のチャネルは、記憶手段に記憶される。記憶手段はさらに、利用者が選択した複数の設定チャネルを識別する各識別情報を記憶する。利用者が、第２の指示入力手段を介して、その設定チャネルの中から映像音声信号を受信するチャネルを選択する選局指示を入力すると、識別情報の中から、記憶領域に最初に格納された識別情報が読み出される。送信手段は、その識別情報により識別される設定チャネルに対応する信号を、放送受信装置（たとえば、テレビジョン受像機、ＶＴＲ等）に送信する。このようにすると、利用者は、自らが設定したチャネルに基づいて、放送受信装置のチャネルを切り換えることができるためため、効率よく選局することができる。
【００３４】
好ましくは、第２の指示入力手段は、利用者による押下を検出するための押下検出手段と、押下の回数に応答して、選局指示を読出手段に出力するための選局指示出力手段とを含む。
【００３５】
上記の構成を有するリモートコントロール装置によると、利用者は、第２の指示入力手段を押下するだけで、自らが設定したチャネルの範囲内で、効率よく選局することができる。
【００３６】
好ましくは、リモートコントロール装置はさらに、第２の指示入力手段が押下されている時間を計測するための計測手段と、第２の指示入力手段が予め定められた時間押下されている場合に、選局指示を予め定められた間隔で読出手段に出力するための出力手段とを含む。
【００３７】
上記の構成を有するリモートコントロール装置によると、利用者が第２の指示入力手段を押下し続けている場合、選局が自動的に行なわれるため、利用者は、押下を繰り返すことなく、設定チャネルの範囲内で選局することができる。
【発明の効果】
【００３８】
本発明に係る放送受信装置によると、利用者は、特定の入力手段を操作することにより、自らが設定したチャネルから特定のチャネルを選択することができるため、効率よく選局することができる。
【００３９】
また、本発明に係る放送受信装置によると、利用者の選局の履歴がチャネルの設定に反映されることにより選局頻度の高いチャネルが自動的に設定されるため、利用者による視聴の特性に応じた選局が可能になる。
【００４０】
さらに、本発明に係るリモートコントロール装置によると、利用者の好みに応じてチャネルの設定を容易に行なうことができ、またこの装置により制御される放送受信装置における選局の効率を向上させることができる。
【発明を実施するための最良の形態】
【００４１】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００４２】
＜第１の実施の形態＞
図１を参照して、本発明を実現する放送受信装置の一態様であるテレビ１００について説明する。図１は、テレビ１００の機能的構成を表わすブロック図である。
【００４３】
図１に示すように、テレビ１００は、制御部１１０と、赤外線受光部１２０と、計時回路１２６と、入力部１３０と、クイック選局ボタン１４０と、チューナ１６０と、合成部１６２と、増幅部１６４と、表示部１７０と、スピーカ１７２と、ＯＳＤ（On Screen Display）画像生成部１８０と、アンテナ１９０とを含む。制御部１１０は、メモリ１５０を含む。
【００４４】
赤外線受光部１２０、入力部１３０、あるいはクイック選局ボタン１４０から入力された指示信号は、制御部１１０に入力される。制御部１１０は、その入力信号に応じて、チューナ１６０の選局を行なったり、あるいは増幅部１６４による音声信号の出力を調整する。制御部１１０はまた、計時回路１２６により取得される時刻情報に基づいて、所定のチャネルが選局されたときの日時データを取得し、メモリ１５０の所定の領域に格納する。
【００４５】
制御部１１０は、たとえばマイコンである。制御部１１０は、赤外線受光部１２０が受信する信号、あるいは入力部１３０を介して入力される指令に基づいて、予め定められた処理を実行する。この処理については、適宜後述する。
【００４６】
入力部１３０は、電源スイッチ、チャネルボタン、音量調整ボタン、その他の操作ボタンを含む。テレビ１００の利用者は、この入力部１３０を介して、テレビ１００の電源のＯＮ／ＯＦＦの切り替え、受信チャネルの切り替え、あるいは、音量の調整等のための指示を入力することができる。入力部１３０は、＋／−スイッチ、数字ボタン、トグルボタン等を含む。ここで、トグルボタンは、利用者による押下の回数に応答して、信号を出力するボタンをいう。
【００４７】
クイック選局ボタン１４０は、入力部１３０に加えて、本実施の形態に係るテレビ１００の機能を実現するために設けられた入力部である。クイック選局ボタン１４０は、利用者の操作に応じて、２つの状態（たとえば、ＯＮ／ＯＦＦ）の間の切換えを行なうことができるスイッチである。このスイッチは、たとえばトグルスイッチが好ましい。なお、ここで、クイック選局とは、テレビ１００が本来有するチャネルボタンを操作して選局するのではなく、利用者が設定したチャネルを選局することをいう。
【００４８】
メモリ１５０は、予め設定されたテレビ１００が受信可能なチャネルの番号、利用者の好みに応じて任意に設定されたチャネルの番号、選局の履歴、あるいは予め定められた処理を実行することができるプログラム等を記憶する。選局の履歴は、チャネルごとの選局回数、最後に選局された日時、選局された時間（特に、最大値）等を含む。
【００４９】
メモリ１５０は、たとえばフラッシュメモリのように不揮発性のメモリであるが、これに限られない。メモリ１５０は、テレビ１００の電源がＯＦＦである場合でも、データを保持し続けることができるものであればよい。
【００５０】
また、メモリ１５０は、制御部１１０の外部に設けられていてもよい。また、複数のメモリがそれぞれ情報を記憶する態様であってもよい。
【００５１】
チューナ１６０は、制御部１１０からの信号に含まれるチャネルの識別信号に基づいて、放送信号からそのチャネルに対応する映像信号および音声信号を取得する。
【００５２】
合成部１６２は、制御部１５０からの映像信号およびＯＳＤ画像信号１８０からのオンスクリーン表示信号を合成する。合成部１６２から出力される信号は、表示部１７０に入力される。
【００５３】
表示部１７０は、チューナ１６０により取得された映像信号に基づいて、映像を表示する。表示部１７０は、たとえばブラウン管、液晶ディスプレイ、あるいはプラズマディスプレイ等であるが、その他の表示装置であってもよい。
【００５４】
チューナ１６０により取得された音声信号は、増幅部１６４に入力される。増幅部１６４は、制御部１１０からの制御信号に基づいて、入力信号の出力を大きくし、あるいは、小さくして、スピーカ１７２に出力する。
【００５５】
スピーカ１７２は、その信号を音声に変換して出力する。スピーカ１７２は、モノラルスピーカおよびステレオスピーカのいずれであってもよい。
【００５６】
ＯＳＤ画像生成部１８０は、赤外線受光部１２０により受信される信号あるいは入力部１３０を介して入力される信号に基づいて、受信中のチャネル番号、音量レベル、時刻その他の情報を表わす画像を生成して表示部１７０に出力する。これにより、表示部１７０は、表示中の映像にその画像を重ねて表示する。
【００５７】
図２を参照して、本実施の形態に係るテレビ１００が有するメモリ１５０に格納されるデータについて説明する。図２は、メモリ１５０におけるデータの格納の一態様を表わす図である。
【００５８】
メモリ１５０は、予め定められた基準に基づいて登録された設定方法に基づいて、テレビ１００が選局するチャネルデータを格納する。この設定方法には、たとえば地域コードを入力することによりテレビ１００が受信可能なチャネルを自動的に設定する方法があるが、他の設定方法であってもよい。
【００５９】
図２において、格納されるデータのヘッダ情報は、データ領域Ｄ２１０に格納される。このヘッダ情報は、後続のデータ項目が予め定められた基準に基づいて設定されたチャネル（たとえば、標準設定チャネル）であることを表わす情報等を含む。
【００６０】
選局可能なチャネルが２ｃｈ（以下、適宜「チャネル」を「ｃｈ」と表わす。）であることを表わす情報は、データ領域Ｄ２１２に格納される。同様に、選択可能なチャネル番号を表わすデータは、データ領域Ｄ２１４〜Ｄ２２８に格納される。なお、メモリ１５０が格納する選局可能なチャネルは、図２に示したものに限られない。
【００６１】
上記のデータ領域Ｄ２１０〜データ領域Ｄ２２８までの領域は、以下の説明においてデータ領域Ｄ２００と表わす。
【００６２】
図３を参照して、本実施の形態に係るテレビ１００の制御部１１０の制御構造について説明する。図３は、制御部１１０が実行する設定チャネルの登録処理の手順を表わすフローチャートである。この処理は、たとえば利用者が表示部１７０にメニュー画面を表示させ、登録処理の実行を選択した場合に行われる。
【００６３】
ステップＳ３０２にて、制御部１１０は、ユーザ設定モードの指示を検知する。この指示は、たとえば入力部１３０の所定のボタンが押下された場合、あるいは、赤外線受光部１２０がその指示を含む信号を受信した場合などに検知される。
【００６４】
ステップＳ３０４にて、制御部１１０は、予め定められた制御信号を表示部１７０に出力して、チャネル設定画面を表示部１７０に表示させる。この画面には、たとえばユーザ設定モードの画面であることを表わす文字、あるいはチャネルの入力領域の画像などが表示される。
【００６５】
ステップＳ３０６にて、制御部１１０は、利用者が選択したチャネル番号の入力を検知する。この入力は、たとえば利用者が入力部１３０の数字ボタン（図示しない）において所定のチャネル番号を入力して、入力部１３０の決定ボタン（図示しない）を押下した場合に検知される。
【００６６】
ステップＳ３０８にて、制御部１１０は、検知したチャネル番号を、メモリ１５０のワーク領域（図示しない）に一時的に格納する。このワーク領域は、設定チャネル登録処理が実行される場合に一時的に確保される領域である。
【００６７】
ステップＳ３１０にて、制御部１１０は、チャネルの設定が終了であるか否かを判断する。この判断は、たとえば入力部１３０からチャネルの設定の終了を指示する信号を受信したか否かに基づいて行われる。チャネルの設定が終了であると判断した場合には（ステップＳ３１０にてＹＥＳ）、処理はステップＳ３１２に移される。そうでない場合には（ステップＳ３１０にてＮＯ）、処理はステップＳ３０６に戻される。
【００６８】
ステップＳ３１２にて、制御部１１０は、チャネルの設定をキャンセルするか否かを判断する。この判断は、たとえば入力部１３０からチャネルの設定をキャンセルする信号を受信したか否かに基づいて行われる。チャネルの設定をキャンセルすると判断した場合には（ステップＳ３１２にてＹＥＳ）、処理は終了する。そうでない場合には（ステップＳ３１２にてＮＯ）、処理はステップＳ３１４に移される。
【００６９】
ステップＳ３１４にて、制御部１１０は、利用者が選択したチャネルを、メモリ１５０の所定のデータ領域に書込む。
【００７０】
図４を参照して、メモリ１５０に格納されるデータについてさらに説明する。図４は、図３に示した登録処理の実行によって設定されたチャネルのデータが格納されていることを表わす図である。
【００７１】
図４に示すように、利用者が設定したチャネルのデータは、予め設定されたチャネルのデータが格納されているデータ領域Ｄ２００と異なる領域に格納される。すなわち、ヘッダ情報は、データ領域Ｄ４１０に格納される。このヘッダ情報は、後続のデータ領域に格納されているデータが、利用者の操作に応じて格納されたチャネルであることを表わす情報等を含む。利用者が選択して設定したチャネルを識別するための情報は、データ領域Ｄ４１２〜Ｄ４２０に格納される。
【００７２】
なお、利用者が設定したデータが格納される態様は、図４に示した態様に限られない。また、利用者が設定可能なチャネルの数は、図４に示した数に限られない。また、このようにして格納されるチャネルの順序は、特に限られず、昇順、降順あるいはランダムのいずれであってもよい。
【００７３】
図５を参照して、本実施の形態に係るテレビ１００の制御構造についてさらに説明する。図５は、テレビ１００の制御部１１０が実行するクイック選局処理の手順を表わすフローチャートである。この処理は、利用者が予め設定された通常のチャネルボタンとは異なるボタン（すなわち、クイック選局ボタン１４０）を操作した場合に行われる。
【００７４】
ステップＳ５０２にて、制御部１１０は、テレビの電源がＯＮになったことを検知する。
【００７５】
ステップＳ５０４にて、制御部１１０は、前回電源がＯＦＦになったときのチャネルに基づいてチューナ１６０に信号を出力することにより、選局する。
【００７６】
ステップＳ５０６にて、制御部１１０は、利用者がクイック選局ボタン１４０を押下したことに応答して、クイック選局の信号の入力を検知する。
【００７７】
ステップＳ５０８にて、制御部１１０は、メモリ１５０の所定のデータ領域から、ユーザー設定ｃｈの最初のチャネルを識別する情報を読み出す。
【００７８】
ステップＳ５１０にて、制御部１１０は、読み出した情報に対応する信号をチューナ１６０に送信することにより、そのチャネルを選局する。
【００７９】
ステップＳ５１２にて、制御部１１０は、クイック選局ボタン１４０からクイック選局の信号の入力をさらに検知したか否かを判断する。クイック選局の信号の入力をさらに検知したと判断すると（ステップＳ５１２にてＹＥＳ）、処理はステップＳ５１４に移される。そうでない場合には（ステップＳ５１２にてＮＯ）、処理は終了する。
【００８０】
ステップＳ５１４にて、制御部１１０は、メモリ１５０において、現在選局中のチャネルを識別する情報が格納されているデータ領域の次のデータ領域に格納されている情報を読み出す。なお、この場合、次のデータ領域にチャネルを識別する情報が格納されていない場合には、先頭の領域に格納されている情報が再び読み出される。
【００８１】
以上のような構造およびフローチャートに基づく、本実施の形態に係るテレビ１００の動作について説明する。以下、チャネルを設定する場合の動作と、クイック選局する場合の動作とを分けて説明する。
【００８２】
［チャネルの設定動作］
利用者がテレビ１００の入力部１３０において、予め定められた操作を行なって設定チャネルの登録処理を開始する（ステップＳ３０２）。表示部１７０がチャネルの設定画面を表示すると（ステップＳ３０４）、利用者は、表示部１７０を参照しつつ、入力部１３０を介してチャネル番号を入力することができる（ステップＳ３０６）。利用者がチャネルの登録処理を終了する指示を入力すると（ステップＳ３１０にてＹＥＳ）、設定処理をキャンセルしない場合には（ステップＳ３１２にてＮＯ）、ユーザが選択したチャネルは、メモリ１５０の所定の領域に書込まれる（ステップＳ３１４、図４）。
【００８３】
［クイック選局動作］
利用者がテレビ１００の電源を入れると、電源ＯＮが検知され（ステップＳ５０２）、前回電源がＯＦＦにされたときのチャネルが選局され（ステップＳ５０４）、表示部１７０は、そのチャネルの番組を表示する。利用者が、テレビ１００の前面に設けられたクイック選局ボタン１４０を押下すると、クイック選局ボタン１４０から制御部１１０に所定の信号が出力され、クイック選局が指示されたことが検知される（ステップＳ５０６）。
【００８４】
その指示に基づいて、メモリ１５０の先頭のデータ領域（たとえば、図４におけるデータ領域Ｄ４１２）に格納されている情報が読み出される（ステップＳ５０８）。チューナ１６０が、その情報に基づいて「４ｃｈ」を選局すると、表示部１７０はそのチャネルの映像を表示する。利用者がクイック選局ボタン１４０をさらに押下した場合には、選局の指示がさらに検知され（ステップＳ５１２にてＹＥＳ）、表示部１７０は、映像の表示をさらに切り換える。
【００８５】
以上のようにして、本実施の形態に係るテレビ１００は、予め定められた基準に基づいて登録されたチャネルの情報に加えて、利用者が任意に登録した設定情報をメモリ１５０の他のデータ領域に記憶する。利用者が、テレビ１００に備えられたクイック選局ボタン１４０を押下すると、テレビ１００は、利用者が任意に登録した設定情報に基づいて選局する。このようにすると、利用者が視聴を希望しないチャネルの選局が行われなくなるため、利用者は視聴を希望するチャネルを速やかに選局することができる。
【００８６】
＜第２の実施の形態＞
以下、本発明の第２の実施の形態について説明する。本実施の形態に係るテレビ１００は、利用者のチャネルの選局の履歴に応じてチャネルの設定を変更する機能を有する点で、前述の第１の実施の形態と異なる。
【００８７】
なお、本実施の形態に係るテレビ１００は、前述の第１の実施の形態に係るテレビ１００のハードウェア構成と同一の構成を有する。したがって、それらについての説明はここでは繰り返さない。
【００８８】
図６を参照して、本実施の形態に係るテレビ１００の制御構造について説明する。図６は、テレビ１００の制御部１１０が実行する、選局回数に基づく自動設定処理の手順を表わすフローチャートである。この処理は、テレビ１００の電源がＯＮの間継続して実行される。
【００８９】
ステップＳ６０２にて、制御部１１０は、テレビ１００の電源がＯＮである場合に選局されているチャネルの回数を１カウントアップする。なお、電源ＯＮ時に選局されているチャネルを計算の対象から除外してもよい。
【００９０】
ステップＳ６０４にて、制御部１１０は、チャネルの切換を検知したか否かを判断する。この判断は、たとえば入力部１３０からチャネルの切換信号が出力されたか否かに基づいて行われる。チャネルの切換を検知したと判断した場合には（ステップＳ６０４にてＹＥＳ）、処理はステップＳ６０６に移される。そうでない場合には（ステップＳ６０４にてＮＯ）、処理はステップＳ６０８に移される。
【００９１】
ステップＳ６０６にて、制御部１１０は、切換後のチャネルのチャネルの選局回数を１カウントアップする。なお、このカウントアップのタイミングは、選局の切換に応答して行なってもよいし、切換後所定時間経過した後に行なってもよい。所定時間経過後にカウントアップを行なう場合には、頻繁なチャネルの切替等が選局の履歴に含まれなくなるため、履歴の記録精度を向上させることができる。
【００９２】
ステップＳ６０８にて、制御部１１０は、テレビ１００の電源のＯＦＦが指示されたか否かを判断する。この判断は、たとえば入力部１３０からテレビ１００の電源をＯＦＦにする指令が出力されたか否かに基づいて行われる。電源のＯＦＦが指示されたと判断すると（ステップＳ６０８にてＹＥＳ）、処理はステップＳ６１０に移される。そうでない場合には（ステップＳ６０８にてＮＯ）、処理はステップＳ６０４に戻される。
【００９３】
ステップＳ６１０にて、制御部１１０は、各チャネルの順序を選局回数に基づいて並べ替えを行なう。
【００９４】
ステップＳ６１２にて、制御部１１０は、並べ替えられたチャネルに対して予め定められたチャネル数だけ選局回数の多い方から選択する。
【００９５】
ステップＳ６１４にて、制御部１１０は、選択したチャネル番号をメモリ１５０の所定のデータ領域に書込む。
【００９６】
図７を参照して、本実施の形態に係るテレビ１００のメモリ１５０が記憶するデータについて説明する。図７は、メモリ１５０において、チャネル番号ごとの選局回数が格納される態様を概念的に表わす図である。このデータは、たとえば図６に示した処理が行われた後に更新される。
【００９７】
図７に示すように、たとえば２ｃｈの選局回数（たとえば、１０回）は、データ領域Ｄ７１０に格納される。同様に各チャネルの選局回数は、各チャネルに対応したデータ領域に格納される。
【００９８】
なお、チャネルごとの選局回数のデータの格納の態様は、図７に示したものに限られない。たとえば、各データ領域に格納される情報は、チャネルを識別するビット配列と、選局回数を表わすビット配列とを含む態様で表わされてもよい。また、チャネルを識別する情報と選局回数を表わす情報とが別のデータ領域にそれぞれ格納されていてもよい。
【００９９】
以上のような構造およびフローチャートに基づく、本実施の形態に係るテレビ１００の動作について説明する。なお、前述の第１の実施の形態と同じ動作の説明は、ここでは繰返さない。
【０１００】
［選局回数に基づくチャネルの登録動作］
利用者がテレビ１００の電源をＯＮにすると、そのときに選択されているチャネルの選局回数が１カウントアップされ（ステップＳ６０２）、メモリ１５０のワーク領域に保存される。利用者が入力部１３０の選局ボタン（図示しない）、あるいはクイック選局ボタン１４０を操作してチャネルを切換えると（ステップＳ６０４にてＹＥＳ）、切換えられたチャネルの選局回数が１カウントアップされる（ステップＳ６０６）。その後、利用者がテレビの電源をＯＦＦにすると（ステップＳ６０８にてＹＥＳ）、各チャネルについて選局回数に基づいたソート処理が実行され（ステップＳ６１０）、選局回数の多いチャネルが予め定められたチャネル数だけ選択される（ステップＳ６１２）。この選択により、たとえばそのチャネルにはフラグが立てられ、そのフラグを有するチャネルがメモリ１５０の所定のデータ領域（たとえば図４に示すデータ領域Ｄ４１２〜Ｄ４２０）に書き込まれる。
【０１０１】
このようにすると、利用者の選局回数に応じてクイック選局のためのチャネルの設定状況が逐次更新される。これにより、本実施の形態に係るテレビ１００は、利用者の嗜好に応じた選局を効率よく行なうことができる。
【０１０２】
＜第３の実施の形態＞
以下、本発明の第３の実施の形態について説明する。本実施の形態に係るテレビ１００は、最後に選局された日付情報に基づいてチャネルを選択する機能を有する点で、前述の各実施の形態に係るテレビと異なる。なお、本実施の形態に係るテレビ１００は、前述の実施の形態と同じハードウェア構成を有する。したがって、それらについての説明は繰り返さない。
【０１０３】
図８を参照して、本実施の形態に係るテレビ１００のメモリ１５０が記憶するデータについて説明する。図８（Ａ）は、データ更新前のチャネル別選局日データのメモリ１５０における格納の一態様を概念的に表わす。図８（Ｂ）は、データ更新後のメモリ１５０における選局日データの格納の一態様を表わす。
【０１０４】
図８（Ａ）に示すように、メモリ１５０は、テレビ１００が受信可能なチャネルごとに、最後に選局された選局日データを記憶する。この選局日データは、たとえば年月日データである。図８（Ａ）において、２ｃｈの選局日データは、データ領域Ｄ８１０に格納される。このデータは、２ｃｈが２００３年２月１日に選局されたことを表わす。その他のチャネルについても同様である。
【０１０５】
この図８（Ａ）に示したデータは、テレビ１００の電源がＯＦＦにされる場合に逐次更新される。この更新は、テレビ１００が有する計時回路（図示しない）からの日付情報に基づいて行われる。たとえば、２００３年１１月６日に、利用者が１０ｃｈのみを視聴した場合、１０ｃｈの選局日データが更新される（図８（Ｂ）、データ領域Ｄ８１８）。
【０１０６】
このように、各チャネルごとに選局日データを持たせることにより、利用者が選局する頻度の高いチャネル、すなわち選局される可能性の高いチャネルを優先的に設定することができる。
【０１０７】
図９を参照して、本実施の形態に係るテレビ１００の制御構造について説明する。図９は、制御部１１０が実行する、最終選局日に基づくチャネル自動設定処理の手順を表わすフローチャートである。この処理は、上記したように、たとえばテレビ１００の電源がＯＦＦにされるときに実行される。
【０１０８】
ステップＳ９０２にて、制御部１１０は、メモリ１５０のデータ領域に記憶された選局日データに基づいて、たとえば、最新の選局日付順に、チャネルのソート処理を実行する。なおソート処理の態様は、これに限られない。
【０１０９】
ステップＳ９０４にて、制御部１１０は、最新の選局日付順に、予め定められた数のチャネルを取得する。このとき取得されたチャネルのデータは、たとえばメモリ１５０に一時的に確保されたワーク領域に格納される。
【０１１０】
ステップＳ９０６にて、制御部１１０は、取得したチャネルをメモリ１５０の所定のデータ領域に書込む。このときのメモリ１５０におけるデータの記憶の態様は、後述する。
【０１１１】
図１０を参照して、本実施の形態に係るテレビ１００が記憶するデータについてさらに説明する。図１０（Ａ）は、メモリ１５０において、チャネルの情報が更新される前にデータが格納される一態様を表わす図である。図１０（Ｂ）は、図９に示した処理に基づいて更新されたデータが格納された状態を表わす。
【０１１２】
図１０（Ａ）に示すように、予め最終選局日データに基づいて選択された５つのチャネルは、データ領域Ｄ１０１２〜Ｄ１０２０にそれぞれ格納されている。この場合、たとえば図８（Ｂ）のデータ領域Ｄ８１８に示したように、１０ｃｈが最後に選局された場合、その選局結果に基づいて、データ領域Ｄ１０１２〜Ｄ１０２０に格納されるデータは更新される。その結果、たとえば図１０（Ｂ）に示すように、先頭のデータ領域Ｄ１０１２には、１０ｃｈを識別する情報が格納される。
【０１１３】
このようにすると、テレビ１００の電源がＯＮに設定された場合に１０ｃｈを優先的に表示させることができる。あるいは、クイック選局ボタン１４０に基づいて選局する場合に、１０ｃｈが最初に選局されるようにすることができる。このようにすると、利用者が普段視聴しないチャネルをクイック選局の対象から除外することができるため、テレビ１００は、効率のよい選局を行なうことができる。
【０１１４】
＜第４の実施の形態＞
以下、本発明の第４の実施の形態について説明する。本実施の形態に係るテレビ１００は、利用者ごとに設定されたチャネルの情報を記憶し、それに基づいてクイック選局を行なう機能を有する点で、前述の各実施の形態と異なる。なお、本実施の形態に係るテレビ１００は、前述の各実施の形態と同じハードウェア構成を有する。したがって、その説明はここでは繰り返さない。
【０１１５】
図１１を参照して、本実施の形態に係るテレビ１００のメモリ１５０が記憶するデータについて説明する。図１１は、利用者別に設定されたチャネルデータのメモリ１５０における格納の一態様を表わす図である。
【０１１６】
図１１に示すように、利用者Ａが設定したチャネルのデータは、データ領域Ｄ１１１０〜Ｄ１１２０まで格納される。すなわち、利用者Ａの設定に関するヘッダ情報は、データ領域Ｄ１１１０に格納される。個別に設定されたチャネルを識別するデータは、データ領域Ｄ１１１２〜Ｄ１１２０に格納される。
【０１１７】
同様に、利用者Ｂの情報は、データ領域Ｄ１１２２〜Ｄ１１３２に格納される。すなわち、利用者Ｂの設定に関するヘッダ情報は、データ領域Ｄ１１２２に格納される。個別に設定されたチャネルを識別するデータは、データ領域Ｄ１１２４〜Ｄ１１３２まで格納される。
【０１１８】
なお、メモリ１５０におけるデータの格納の態様は、図１１に示したものに限られない。また、利用者ごとに設定された情報は、図１１に示した項目に限られない。
【０１１９】
このようにして設定された利用者別のチャネルに基づく選局は、たとえばテレビ１００の入力部１３０の特定のボタンを組み合せることにより行なうことができる。あるいは、特定のボタンを特定の利用者による選局に割り当ててもよい。たとえば、２ｃｈを利用者Ａ、４ｃｈを利用者Ｂ等のように割り当ててもよい。このようにすると、１台のテレビを共有する場合でも利用者ごとにチャネルの設定情報を持たせることができるため、各利用者は、各自の嗜好に応じた選局を簡単に行なうことができる。
【０１２０】
＜第５の実施の形態＞
以下、本発明の第５の実施の形態について説明する。これまで詳述した第１〜第４の実施の形態に係るテレビ１００が有する機能は、そのテレビに選局信号を送信するリモートコントロール装置（以下、リモコン端末と略す。）によっても実現することができる。すなわち、リモコン端末が、利用者別のチャネルデータを予め記憶することにより、その記憶したデータに基づいて選局を指令する信号をテレビ１００に送信してもよい。あるいは、テレビ１００が記憶するチャネル情報に基づいて、上記したような選局（クイック選局）を行なわせるために、その指令信号を送信するようにしてもよい。
【０１２１】
以下、図１２を参照して、本実施の形態に係るリモコン端末１２００について説明する。図１２は、リモコン端末１２００の外観を表わす図である。このリモコン端末１２００は、ディスプレイ１２０２と、移動キー１２０４と、数字ボタン１２０６と、操作ボタン１２０８とを含む。
【０１２２】
移動キー１２０４は、上下左右にカーソルを移動するためのキー１２１４と、特定の対象の選択を確定する指示を入力する確定ボタン１２２４とを含む。
【０１２３】
操作ボタン１２０８は、押下される回数に応答してテレビの音量を調整することができる音量ボタン１２１８と、同様に調整可能なチャネルボタン１２２８と、利用者により設定されたチャネルのみを選局するためのクイック選局ボタン１２３８とを含む。クイック選局ボタン１２３８は、たとえばトグルスイッチであるが、その他の態様により利用者の指示を入力することができるボタン等であってもよい。
【０１２４】
図１３を参照して、本実施の形態に係るリモコン端末１２００の構成についてさらに説明する。図１３は、リモコン端末１２００が有する機能の構成を表わす図である。
【０１２５】
このリモコン端末１２００は、制御部１２１０と、チャネル選局部１２２０と、ワンタッチボタン１２３０と、操作部１２４０と、メモリ１２５０と、赤外線発光部１２６０とを含む。
【０１２６】
チャネル選局部１２２０は、チャネルボタン１２２８に相当する。ワンタッチボタン１２３０は、クイック選局ボタン１２３８に相当する。操作部１２４０は、移動キー１２０４、数字ボタン１２０６、あるいは操作ボタン等に対応する。
【０１２７】
制御部１２１０は、チャネル選局部１２２０、ワンタッチボタン１２３０、操作部１２４０のいずれかから出力された信号に基づいて予め定められた処理信号を赤外線発光部１２６０に出力させる。このような制御部１１１０による動作には、たとえばテレビ１００の音量を調整する動作、チャネルを選局する動作などが含まれる。この場合、利用者がワンタッチボタン１２３０を押下した場合には、制御部１２１０はその押下に応じてクイック選局のための信号を赤外線発光部１２６０から出力する。このようにすると、その信号を受信したテレビ１００は、予め記憶された利用者の設定チャネルのデータに基づいて特定のチャネルの中から選局することができる。
【０１２８】
図１４を参照して、本実施の形態に係るリモコン端末１２００の制御部１２１０の制御構造について説明する。図１４は、制御部１２１０が実行する設定チャネルの登録処理の手順を表わすフローチャートである。この処理は、たとえば利用者がディスプレイ１２０２にメニュー画面を表示させ、登録処理の実行を選択した場合に行われる。
【０１２９】
ステップＳ１４０２にて、制御部１２１０は、ユーザ設定モードの指示を検知する。この指示は、たとえば操作部１２４０の所定のボタンが押下された場合などに検知される。
【０１３０】
ステップＳ１４０４にて、制御部１２１０は、予め定められた制御信号を出力することにより、チャネル設定画面をディスプレイ１２０２に表示させる。この画面には、たとえばユーザ設定モードの画面であることを表わす文字、あるいはチャネルの番号などが表示される。
【０１３１】
ステップＳ１４０６にて、制御部１２１０は、利用者が選択したチャネル番号の入力を検知する。この入力は、たとえば利用者が数字ボタン１２０６を押下して特定のチャネル番号を入力して、さらに確定ボタン１２２４を押下した場合に検知される。
【０１３２】
ステップＳ１４０８にて、制御部１２１０は、検知したチャネル番号を、メモリ１２５０のワーク領域（図示しない）に一時的に格納する。このワーク領域は、設定チャネル登録処理が実行される場合に一時的に確保される領域である。
【０１３３】
ステップＳ１４１０にて、制御部１２１０は、チャネルの設定が終了であるか否かを判断する。この判断は、たとえば操作部１２４０からチャネルの設定の終了を指示する信号を受信したか否かに基づいて行われる。チャネルの設定が終了であると判断した場合には（ステップＳ１４１０にてＹＥＳ）、処理はステップＳ１４１２に移される。そうでない場合には（ステップＳ１４１０にてＮＯ）、処理はステップＳ１４０６に戻される。
【０１３４】
ステップＳ１４１２にて、制御部１２１０は、チャネルの設定をキャンセルするか否かを判断する。この判断は、たとえば操作部１２４０からチャネルの設定をキャンセルする信号を受信したか否かに基づいて行われる。チャネルの設定をキャンセルすると判断した場合には（ステップＳ１４１２にてＹＥＳ）、処理は終了する。そうでない場合には（ステップＳ１４１２にてＮＯ）、処理はステップＳ１４１４に移される。
【０１３５】
ステップＳ１４１４にて、制御部１２１０は、利用者が選択したチャネルを、メモリ１２５０の所定のデータ領域に書き込む。
【０１３６】
図１５を参照して、本実施の形態に係るリモコン端末１２００が記憶するデータについて説明する。図１５は、図１４に示した登録処理の実行によって設定されたチャネルのデータが格納されていることを表わす図である。
【０１３７】
図１５に示すように、利用者が設定したチャネルのデータは、たとえば、データ領域Ｄ１５１０〜Ｄ１５２０に格納される。すなわち、ヘッダ情報は、データ領域Ｄ１５１０に格納される。このヘッダ情報は、後続のデータ領域に格納されているデータが、利用者の操作に応じて格納されたチャネルであることを表わす情報等を含む。利用者が選択して設定したチャネルを識別するための情報は、データ領域Ｄ１５１２〜Ｄ１５２０に格納される。この場合、利用者が所定の操作を実行すると、リモコン端末１２００は、「４ｃｈ」、「８ｃｈ」、「１０ｃｈ」、「６ｃｈ」、および「ＢＳ５ｃｈ」の信号を出力する。
【０１３８】
なお、利用者が設定したデータが格納される態様は、図１５に示した態様に限られない。また、利用者が設定可能なチャネルの数は、図１５に示した数に限られない。また、このようにして格納されるチャネルの順序は、特に限られず、昇順、降順あるいはランダムのいずれであってもよい。
【０１３９】
図１６を参照して、本実施の形態に係るリモコン端末１２００の制御構造についてさらに説明する。図１６は、リモコン端末１２００の制御部１２１０が実行するクイック選局処理の手順を表わすフローチャートである。この処理は、利用者が予め設定された通常のチャネルボタンとは異なるボタン（すなわち、クイック選局ボタン１２３８）を押下した場合に行われる。ここでは、リモコン端末１２００は、その端末に対応したテレビに信号を送信する場合について説明する。なお、このような処理は、テレビ以外の放送受信装置、たとえばＶＴＲ、ＨＤＤ（Hard Disk Drive）レコーダ等に対しても、同様に適用可能である。
【０１４０】
ステップＳ１６０２にて、制御部１２１０は、テレビの電源がＯＮになったことを検知する。この検知は、たとえば、利用者がリモコン端末１２００が有する電源ボタン（図示しない）を押下した場合に行なわれる。
【０１４１】
ステップＳ１６０４にて、制御部１２１０は、前回電源がＯＦＦになったときのチャネルに基づいて選局する指令を送信する。
【０１４２】
ステップＳ１６０６にて、制御部１２１０は、利用者がクイック選局ボタン１２３８を押下したことに応答して、クイック選局の信号の入力を検知する。
【０１４３】
ステップＳ１６０８にて、制御部１２１０は、メモリ１２５０の所定のデータ領域（たとえば、先頭のアドレスにある領域）から、ユーザー設定ｃｈの最初のチャネルを識別する情報を読み出す。
【０１４４】
ステップＳ１６１０にて、制御部１２１０は、読み出した情報に基づいて選局する指令をテレビに送信する。この情報には、利用者が設定したチャネルを識別する情報が含まれている。
【０１４５】
ステップＳ１６１２にて、制御部１２１０は、クイック選局ボタン１２３８からクイック選局の信号の入力をさらに検知したか否かを判断する。クイック選局の信号の入力をさらに検知したと判断すると（ステップＳ１６１２にてＹＥＳ）、処理はステップＳ１６１４に移される。そうでない場合には（ステップＳ１６１２にてＮＯ）、処理は終了する。
【０１４６】
ステップＳ１６１４にて、制御部１２１０は、メモリ１２５０において、現在選局中のチャネルを識別する情報が格納されているデータ領域の次のデータ領域に格納されている情報を読み出す。なお、この場合、次のデータ領域にチャネルを識別する情報が格納されていない場合には、先頭の領域に格納されている情報が再び読み出される。
【０１４７】
以上のような構造及びフローチャートに基づく、本実施の形態に係るリモコン端末１２００の動作について説明する。以下、チャネルを設定する場合の動作と、クイック選局する場合の動作とを分けて説明する。
【０１４８】
［チャネルの設定動作］
利用者がリモコン端末１２００の操作部１２４０において、予め定められた操作を行なって設定チャネルの登録処理を開始する（ステップＳ１４０２）。ディスプレイ１２０２がチャネルの設定画面を表示すると（ステップＳ１４０４）、利用者は操作部１２４０（たとえば、数字ボタン１２０６）を介してチャネル番号を入力することができる（ステップＳ１４０６）。利用者がチャネルの登録処理を終了する指示を入力すると（ステップＳ１４１０にてＹＥＳ）、設定処理をキャンセルしない場合には（ステップＳ１４１２にてＮＯ）、ユーザが選択したチャネルは、メモリ１２５０の所定の領域に書込まれる（ステップＳ３１４、図１５）。
【０１４９】
［クイック選局動作］
利用者がリモコン端末１２００の電源ボタンを押下すると、テレビの電源ＯＮの指令が検知され（ステップＳ１６０２）、前回電源がＯＦＦにされたときのチャネルの信号がテレビに送信され、選局される（ステップＳ１６０４）。テレビは、そのチャネルの番組を表示する。利用者が、リモコン端末１２００のクイック選局ボタン１２３８を押下すると、クイック選局ボタン１２３８から制御部１２１０に所定の信号が出力され、クイック選局が指示されたことが検知される（ステップＳ１６０６）。
【０１５０】
その指示に基づいて、メモリ１２５０の先頭のデータ領域（たとえば、図１５におけるデータ領域Ｄ１５１２）に格納されている情報が読み出される（ステップＳ１６０８）。リモコン端末１２００は、その情報に対応する信号をテレビに送信するため（ステップＳ１６１０）、テレビは、画面の表示をその信号に応じたチャネルに切り換える。利用者がクイック選局ボタン１２３８をさらに押下した場合には、選局の指示がさらに検知され（ステップＳ１６１２にてＹＥＳ）、次のチャネルの識別情報が読み出される（ステップＳ１６１４）。
【０１５１】
このようにすると、利用者は従来のリモコン端末１２００が有する選局ボタン（たとえばチャネルボタン１２２８）を操作することなく、クイック選局ボタン１２３８を押下することにより、特定の範囲内で効率よく選局することができる。その結果、選局を希望しないチャネルの信号が出力されなくなるため、このような信号を受信するテレビは、利用者が希望するチャネルを効率よく選局することができる。
【０１５２】
以上詳述した本発明の第１〜第４の実施の形態に係るテレビ１００によると、利用者が任意に設定したチャネル、あるいは利用者による選局の履歴に基づいて、チャネルが登録される。利用者が、登録されたチャネルの範囲内で切り換えるための選局ボタンを押下すると、テレビ１００は、そのチャネルの範囲内で自動的に選局する。したがって、利用者の好みに応じた選局を容易に行なうことができる。
【０１５３】
また、本発明の第５の実施の形態に係るリモコン端末１２００は、利用者が任意に設定したチャネルを記憶する。このようにすると、利用者が、登録されたチャネルの範囲内で切り換えるための選局ボタンを押下すると、リモコン端末１２００は、その範囲内において選局する信号を送信するため、この信号を受信するテレビその他の放送受信装置は、その範囲内で自動的に選局する。したがって、利用者は、好みに応じた選局を容易に行なうことができる。
【０１５４】
なお、本発明の第１の実施の形態において、図５におけるステップＳ５１２の処理に代えて、クイック選局ボタン１４０の押下の時間が、予め定められた時間に到達したか否かを判断する処理に変えてもよい。このようにすると、利用者がクイック選局ボタン１４０を押下し続けている間、テレビ１００は、設定チャネルの範囲内で自動的に選局する。その結果、利用者がクイック選局ボタン１４０を何度も押下する必要がなくなる。
【０１５５】
また、本発明の第５の実施の形態において、図１６におけるステップＳ１６１２の処理に代えて、クイック選局ボタン１２３８の押下の時間が、予め定められた時間に到達したか否かを判断する処理に変えてもよい。このようにすると、利用者がリモコン端末１２００のクイック選局ボタン１２３８を押下し続けている間、その端末の信号に応じて作動するテレビは、設定チャネルの範囲内で自動的に選局する。したがって、利用者は、好みに応じた選局を容易に行なうことができる。
【０１５６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１５７】
【図１】本発明の第１の実施の形態に係るテレビの構成を表わすブロック図である。
【図２】本発明の第１の実施の形態に係るテレビのメモリにおけるデータの格納の一態様を表わす図（その１）である。
【図３】本発明の第１の実施の形態に係るテレビが実行する処理の手順を表わすフローチャート（その１）である。
【図４】本発明の第１の実施の形態に係るテレビのメモリにおけるデータの格納の一態様を表わす図（その２）である。
【図５】本発明の第１の実施の形態に係るテレビが実行する処理の手順を表わすフローチャート（その２）である。
【図６】本発明の第２の実施の形態に係るテレビが実行する処理の手順を表わすフローチャートである。
【図７】本発明の第２の実施の形態に係るテレビのメモリにおけるデータの格納の一態様を表わす図である。
【図８】本発明の第３の実施の形態に係るテレビのメモリにおけるデータの格納の一態様を表わす図（その１）である。
【図９】本発明の第３の実施の形態に係るテレビが実行する処理の手順を表わすフローチャートである。
【図１０】本発明の第３の実施の形態に係るテレビのメモリにおけるデータの格納の一態様を表わす図（その２）である。
【図１１】本発明の第４の実施の形態に係るテレビのメモリにおけるデータの格納の一態様を表わす図である。
【図１２】本発明の第５の実施の形態に係るリモコン端末の外観を表わす図である。
【図１３】本発明の第５の実施の形態に係るリモコン端末の構成を表わすブロック図である。
【図１４】本発明の第５の実施の形態に係るリモコン端末が実行する処理の手順を表わすフローチャート（その１）である。
【図１５】本発明の第５の実施の形態に係るリモコン端末のメモリにおけるデータの格納の一態様を表わす図である。
【図１６】本発明の第５の実施の形態に係るリモコン端末が実行する処理の手順を表わすフローチャート（その２）である。
【符号の説明】
【０１５８】
１００  テレビ、１１０  制御部、１２０  赤外線受光部、１３０  入力部、１４０  クイック選局ボタン、１５０  メモリ、１６０  チューナ、１６２  合成部、１６４  増幅部、１７０  表示部、１７２  スピーカ、１８０  ＯＳＤ画像生成部、１９０  アンテナ、１２００  リモコン端末、１２０２  ディスプレイ、１２０４  移動キー、１２０６  数字ボタン、１２０８  操作ボタン、１２１０  制御部、１２１４  キー、１２２０  チャンネル選局部、１２２４  確定ボタン、１２２８  チャネルボタン、１２３０  ワンタッチボタン、１２３８  クイック選局ボタン、１２４０  操作部、１２５０  メモリ、１２６０  赤外線発光部。
【図１】
2005159742.tif 000003
【図２】
2005159742.tif 000004
【図３】
2005159742.tif 000005
【図４】
2005159742.tif 000006
【図５】
2005159742.tif 000007
【図６】
2005159742.tif 000008
【図７】
2005159742.tif 000009
【図８】
2005159742.tif 000010
【図９】
2005159742.tif 000011
【図１０】
2005159742.tif 000012
【図１１】
2005159742.tif 000013
【図１２】
2005159742.tif 000014
【図１３】
2005159742.tif 000015
【図１４】
2005159742.tif 000016
【図１５】
2005159742.tif 000017
【図１６】
2005159742.tif 000018